Podtech/llm-jp-corpus-v4-ja_patent huggingface dataset:
(57)【要約】【目的】寝たきりの病人をベッドより起こし移動させることにより、ベッドの清掃や乾燥を行うと共に病人の日常生活の向上及び精神面の充実を目的とした用具【構成】担架　台座　レール、起こし装置　枠によって構成された用具である【選択図】　図２
2004024820.tif 000002
【特許請求の範囲】
【請求項１】
ベッド上で前後左右に位置変更可能な機構を有する特殊担架に病人を移載してその担架を装置によりベッドの横で起こすことによりその担架に乗っている病人を同時に起こすことが出来るようにした起こし用具
【発明の詳細な説明】
介護作業の中で一番困難な作業は寝たきりの病人を起こす作業であるこの作業のため多くのヘルパー（作業員）が腰痛の悩みを訴えている現状を見る時、この分野に省力用具を導入することは、今後の介護活動に欠かすことの出来ない課題である　したがってこの発明はこの分野に省力用具を導入することにより、作業の省力化、合理化ヘルパーの健康管理に寄与する目的で考案されたものである。
図によって説明すれば
第１図に示すごとく▲１２▼のベッドで寝ている病人▲１▼を第２図▲２▼のごとくに寝返りをうたせて、その背の部分へ▲３▼の担架を▲４▼のレールにより配してそこえ▲５▼の矢印の動きのごとく乗せ込む、その後▲６▼の台座を立てて、ベッド上で寝たままの姿で着席状態を創り、そして▲７▼の矢印のごとく、病人が乗った状態の担架をベッドの端へ移動させて、その後▲８▼矢印方向へ９０度方向転換させて第３図▲９▼の点線で示すごとくにする、その後▲１０▼の担架起こし装置により▲３▼の担架を起こすと同時に、この担架に乗っている病人も同時に▲１１▼の矢印のごとくに起こすことが出来その後必要に応じ▲１３▼の車付枠により移動も出来るようにした寝たきり病人の起こし用具である
【図面の簡単な説明】
【第１図】病人の寝ている状態図（斜視図）である
【第２図】本発明の操作説明図（斜視図）である
【第３図】病人の起こし状態図（斜視図）である
【符号の説明】
▲３▼は担架　▲６▼は台座　▲１０▼は担架起こし装置　▲１３▼は枠　▲１４▼は保護ベルト
【図１】
2004024820.tif 000003
【図２】
2004024820.tif 000004
【図３】
2004024820.tif 000005
(57)【要約】【課題】芳香消臭剤や薬品を用いてマスクによらず、オムツ替えの悪臭による介護者の苦痛をやわらげ、又、花粉症などの軽いアレルギー症を防ぐ。【解決手段】短い鼻孔栓（１）に気孔（２）を設け、鼻から取り出すために栓内に中軸（４）のある支軸（３）を付け、芳香消臭剤・薬品をしみ込ませて、鼻孔に差し込む。【選択図】　図１
2004024803.tif 000002
【特許請求の範囲】
【請求項１】
短い鼻孔栓（１）に気孔（２）を有し、栓内に中軸（４）のある支軸（３）を持ち、芳香消臭剤や薬品をしみ込ませたことを特徴とする鼻
孔栓。
【発明の詳細な説明】
【０００１】
【発明の属する技術分野】
この発明は鼻にさし込む栓である。この栓に気孔を設け、芳香消臭剤・薬品をしみ込ませ、鼻孔に対応したサイズをつくって息苦しさや鼻翼のこわばりや異和感をなくし、本体を引き出しやすいように栓内に中軸のある支軸を付ける。悪臭をやわらげ、鼻粘膜の保護をする鼻孔栓である。
【０００２】
【従来の技術】
従来一般的には、悪臭を防ぐため、又は細菌の感染を防ぐためにガーゼマスクなどを用いるが、しかし、大げさに見えたり、防臭効果や防除効果が薄かったり又、顔の半分をおおうので、うっとうしく息苦しいし、普通使い捨てではない。
【０００３】
【発明が解決しようとする課題】
是は次のような欠点があった。一般的にはマスクに消臭効果や除菌効果は薄い。介護者が悩むオムツの悪臭を消し、軽いアレルギー症の鼻粘膜の保護や顔半分をおおう鬱陶しさと息苦しさ、又、常に洗う清潔さが必要で手間が掛かる。
本発明は以上の欠点を解決するためになされたものである。
【０００４】
【課題を解決するための手段】
短い鼻孔栓（１）に気孔（２）を設け、栓内に中軸（４）持った本体を引き出すための支軸（３）を付けて、本体に芳香消臭剤・薬品を染み込ませ、栓を白あるいは有色にし、鼻孔に対応するために各種類のサイズを持った鼻孔栓で、使い捨ての、衛生的な使用が出来る。
本発明は以上の構成によりなる、悪臭の消臭や軽いアレルギー症の鼻粘膜の保護に手軽な使用が出来る。
【０００５】
【発明の実施の形態】
以下、本発明の実施の形態を説明する。
イ、　不織布などの通気性が良い材料からなる円柱状からなる鼻孔栓（１）の内部に、上面より下面に貫通する気孔（２）を複数設ける。
ロ、　鼻孔栓（１）の内部に中軸（４）を設け、中軸（４）の下部は鼻孔栓（１）の下端より突出した支軸（３）とする。
ハ、　鼻孔栓（１）の本体内部に芳香消臭剤・薬剤をしみ込ませる。
ニ、　鼻孔栓（１）は白色あるいは有色であり、本体の大きさは人間の鼻孔に入る適度の大きさとする。
本発明は以上の構成よりなり、本発明を使用するときは、鼻孔内に刺激やここわばりや息苦しさなど、無理のないサイズを選んで差し入れ、不要の時は支軸の部分を引いて取り出す。
【０００６】
【発明の効果】
以下、本発明を使用することによる効果について説明する。
イ、　鼻栓にしみ込ませた芳香消臭剤や薬品が、介護者の苦痛とするオムツ替えの時の悪臭をやわらげ、軽いアレルギー症の鼻粘膜を保護する。
ロ、　介護者がオムツ替えの時、マスクのように大げさではなく肌色の鼻孔栓は目立たない。
ハ、　マスクのように顔をおおう鬱陶しさもなく、芳香消臭剤や薬品が鼻くうに直せつ広がり、鼻粘膜への消臭効果が高く、出来るだけ微香が望ましい。
ニ、　鼻孔に差し込むだけで簡単であり、ガーゼマスクのように洗う必要がない。
【図１】
2004024803.tif 000003
【図２】
2004024803.tif 000004
【図３】
2004024803.tif 000005
【手続補正書】
【提出日】平成14年9月3日(2002.9.3)
【手続補正１】
【補正対象書類名】明細書
【補正対象項目名】図面の簡単な説明
【補正方法】変更
【補正の内容】
【図面の簡単な説明】
【図１】本発明の斜視図
【図２】本発明の断面図
【図３】本発明の使用図
【符号の説明】
１　　鼻孔栓
２　　気孔
３　　支軸
４　　中軸




【手続補正書】
【提出日】平成14年9月25日(2002.9.25)
【手続補正１】
【補正対象書類名】図面
【補正対象項目名】図３
【補正方法】変更
【補正の内容】
【図３】
2004024803.tif 000006
(57)【要約】【課題】従来の取り付け工事セット完成販売商品ではなく手軽で便利な消費者が求めるトイレット・ペーパー単品フックを提供する【解決手段】基部とこの基部の表面には、Ｌ型フックを水平から上方向に回動可能に設け、基部の裏面には、ペーパーホルダー内側壁取りつけ手段を設けた事を特徴とするトイレット・ペーパー固定フックである。【選択図】図２
2004024808.tif 000002
【特許請求の範囲】
【請求項１】
基部と、この基部の表面には、フックを水平から上方向に回動可能に設け基部の裏面には、ペーパーホルダー内側壁取りつけ手段を設けた事を特徴とするトイレット・ペーパー固定フック
【発明の詳細な説明】
【０００１】
【発明の属する技術分野】
この発明は　既成のペーパーホルダーに取り付けて、簡単にトイレット・ペーパーの取り外しが出来る、トイレット・ペーパー固定フックに関するものである
【０００２】
【従来の技術】
トイレット・ペーパーに関するフックは多種多用に渡ってあったが従来にロールパイプの単品フックは見られない
【０００３】
【発明が解決しようとする課題】
（イ）従来の発想はオプションであり、従来型の本来の機能を発展させる事が出来ない
（ロ）新型　新しい発想も全てがセットで完成され機能の変更が出来ない
（ハ）セットにより市場に出るため　支出、従来の性質上セット販売による取りつけ手間を考えるとユーザーの要望に答えていない
（ニ）よって家庭においても特に店舗事務所等では芯だけが残り新しいペーパーがすぐ側にあるにも関わらずその手間ゆえに次に任せサービス面において不快を催す
（ホ）従来既存の旧式トイレットペーパーホルダーの芯を使わず本発明を両サイドに貼る事によりペーパーが誰でも簡単スピーディーに装着できる
（ヘ）本発明をペーパーホルダー両サイドに平行に（例）両面テープで留めて装着完了
（ト）本発明装着時　ペーパーをホルダー内で上にあげ手を放せば装着完了
【０００４】
【課題を解決するための手段】
基部と、この基部の表面には、フックを水平から上方向に回動可能に設け基部の裏面には、ペーパーホルダー内側壁取りつけ手段を設けた事を特徴とするトイレット・ペーパー固定フック
本発明は、以上のような構成よりなる　トイレット・ペーパー固定フックである
【０００５】
【発明の実施の形態】
【以下、本発明の実施の形体について説明する。】
従来の芯で面倒に取り替え、不便さを洩らしながらもコストを考え現状に甘んじる中パーツ単品にすることにより、単品工事不要、セット商品取り替え不用従来既存の旧型ペーパーホルダーをそのまま活用できる経済的にも活気的な発明である
まず基部の裏面の取りつけ手段（６）を利用し、ペーパーホルダーの内側壁に取り付け基部（２）で装着時安定させる、基部（２）に取り付けられた留具（３）で上方向回動Ｌ型フック（１）に、軸（４）を軸穴（５）に通し上方向回動Ｌ型フック（１）と基部（２）を連結させトイレット・ペーパーをペーパーホルダー内に入れ上に持ち上げ手を放せばトイレット・ペーパーの空洞パイプに、上方向回動Ｌ型フック（１）が挿入され装着、固定、利用が出来るようにする
【０００６】
【発明の効果】
（イ）従来既存の旧式トイレットペーパーホルダーの芯を使わず本発明を両サイドに貼る事によりペーパーが誰でも簡単スピーディーに装着できる
（ロ）誰でも本発明をペーパーホルダー両サイドに装着即ちに利用可能
（ハ）誰でも本発明装着時　ペーパーをホルダー内で上にあげ手を放せば装着完了
（二）誰でも簡単に手間と支出を抑え、ユーザーの要望を解決する
【図面の簡単な説明】
【図１】本発明の正面図
【図２】本発明の斜視図
【図３】本発明の使用状態を示す図
【符号の説明】
１　Ｌ型フック
２　基部
３　留具
４　軸
５　軸穴
６　基部裏面取り付け手段
【図１】
2004024808.tif 000003
【図２】
2004024808.tif 000004
【図３】
2004024808.tif 000005
(57)【要約】【課題】伸縮出来て携帯便利なハンガーを提供する【解決手段】（イ）その、携帯により道徳をスタイルに変えセンスを磨く様に持っていく（ロ）その、形体による現代のスタイルに柄、ファッション性を持たせる（ハ）その、機能により時勢に調和させオプション含め需要を高める（ニ）筒状、スライド式なので幅がありぴったり装着で長時間でもハンガー後が付かない【選択図】図２
2004024809.tif 000002
【特許請求の範囲】
【請求項１】
複数の空洞筒体を、伸縮可能に継ぎ合わせた左右の肩受け部と、この肩受け部の向かい合う両端部が、脱着可能に固定出来る固定手段と前記肩受部には、前記固定手段をはずした時に肩部分が自在に連結する連結手段と、この連結手段にはフックを設けた事を特徴とする携帯ハンガー
【発明の詳細な説明】
【０００１】
【発明の属する技術分野】
この発明は折畳め、スライド伸縮する事により持運びが便利になりスライド調整と本発明の形状により　本来の形を崩さずに本来の形を保つ　携帯ハンガーに関するものである。
【０００２】
【従来の技術】
従来、何処でもと言って良いほどハンガーはあったが携帯するものが無く携帯するには不便で改善を探求している。
【０００３】
【発明が解決しようとする課題】
（イ）ハンガーは持ち運びが形体的に決められてる為収納等の（携帯）が不便である。
（ロ）従来ハンガーの決まった形体がハンガー跡が付いたり吊るすだけの物となり服を従来の形に保つ新たなニーズ目的をも果たせない。
（ハ）店でハンガーが足りない、汚い苦情は勿論の事　清楚に保っても最近は自分以外の物は使わない傾向が多く見られる。
（ニ）自分はちゃんと折畳整理して置いても集会場等では他の物に侵害され不快を催す。
【０００４】
【課題を解決する為の手段】
複数の空洞筒体を、伸縮可能に継ぎ合わせた左右の肩受け部と、この肩受け部の向かい合う両端部が、脱着可能に固定出来る固定手段と前記肩受部には、前記固定手段をはずした時に肩部分が自在に連結する連結手段と、この連結手段にはフックを設けた事を特徴とする携帯ハンガー
【０００５】
【発明の実施の形態】
【以下、本発明の実施の形態について説明する】
（イ）図に示すように傾斜を付けた大、中、小の筒状第１空洞パイプ（１）（１´）第２空洞パイプ（２）（２´）第３空洞パイプ（３）（３´）を順に継ぎ合わせて、伸縮可能な肩受け部（１０）を形成する。
（ロ）肩部受け部（１０）を左右対称に配置し、向かい合う両端部（３）（３´）へ片側端部には、第３空洞パイプ（３）に収納可能な凸部（４）、もう片側端部には凹部（５）を設けお互いを勘合可能に形成する。
（ハ）パイプの傾斜でストップさせ大きい方の円を内側に反らせはみ出ず傷つけない様にする。
（ニ）第２空洞パイプ（２）（２´）にチェーン（７）を留める留具（６）（６´）を付け２組をチェーン（７）で結び中央にフック（９）をつけ連結させる
本発明は以上の構成によりなる。
（ホ）これを使用する時は吊るされ不安定な肩受け部（１０）の凸部（４）を、肩受け部（１０´）の　凹部（５）に挿入し安定固定させる。
【発明の効果】
（イ）携帯する事でカウンター店、集会所、車内等あらゆる所で利用可能
（ロ）傾斜と伸縮、形態幅を利用して調整させる事により長時間でも跡が付かない
【図面の簡単な説明】
【図１】本発明の全体図である
【図２】本発明の使用状態を示す図である
【図３】本発明収納時形態である
【符号の説明】
１、１´　　　第１　筒状空洞パイプ
２、２´　　　第２　筒状空洞パイプ
３、３´　　　第３　筒状空洞パイプ
４　　　　　　凸部
５　　　　　　凹部
６、６´　　　留具
７　　　　　　チェーン
８　　　　　　チェーン取り付け穴
９　　　　　　フック
１０、１０´　肩受け部
【図１】
2004024809.tif 000003
【図２】
2004024809.tif 000004
【図３】
2004024809.tif 000005
(57)【要約】【課題】上り坂の走行にも力を要せず、走路の形状にも関わりなく安定した走行が出来る車イスを、提供する。【解決手段】車軸（１）の片面に、巻ゼンマイ状の推進装置（２）と、逆転防止装置（３）を連結し、末端に人・出力切替え用装置（４）を有する、ゼンマイ巻き締め用装置　を設ける。【選択図】　　図１
2004024802.tif 000002
【特許請求の範囲】
【請求項１】
車軸（１）の片面に巻ゼンマイ状の推進装置（２）と逆転防止装置（３）を連結し、末端に入・出力切替え用装置（４）を有する、ゼンマイ巻き締め用装置（５）を設けてなる、簡易自走式車イス。
【発明の詳細な説明】
【０００１】
【発明の属する技術分野】
この発明は、僅かな人力で走行を可能とすることが出来る、簡易自走式車イスに関するものである。
【０００２】
【従来の技術】
従来、車イスで走行するとき、車輪と一体型のハンドルを、手で推し進めていた。
【０００３】
【発明が解決しようとする課題】
これには次のような欠点が有った。
（イ）車イスは、車輪と一体型のハンドルを、手で押し下げた分しか移動しない。
（ロ）手の力の弱い者が乗ると、自力で走行しづらい。
（ハ）僅かな上り坂でも、引力に押し戻され、上るのに大きな力を要する。
本発明は、これらの欠点を解決するためになされたものである。
【０００４】
【課題を解決するための手段】
車軸（１）の片面に、巻ゼンマイ状の推進装置（２）と、逆転防止装置（３）を連結し、末端に入出力切替え装置（４）を有する、ゼンマイ巻き締め用装置（５）を設ける。
【０００５】
【発明の実施の形態】
以下、本発明の実施の形態について説明する。
（イ）車イスの車軸（１）の片面に、巻ゼンマイ状の推進装置（２）と、逆転防止装置（３）を連結する。
（ロ）末端に、入・出力切替え用装置（４）を有する、ゼンマイ巻き締め用装置（５）を設ける。
（ハ）（イ）と（ロ）を連結させる。
本発明は以上のような構成で、これを使用するときは、入・出力切替え装置（４）を「入」の状態にし、ゼンマイ巻き締め用装置（５）でゼンマイを一杯巻き込み、発車準備の状態にする。
使用時は、入・出力切替え用装置（４）を「出」の状態にすると、ゼンマイが巻き戻る力で、軽く車イスは前進を始める。
又、入・出力切替え用装置（４）を、「出」の状態にしなければ、普通の車イスとして使用することが出来、必要に応じて使い分けることが出来る。
【０００６】
【発明の効果】
車イスを利用する人にとって、僅かな上り坂の走行にも、大きな労力を要していたものが、楽に上れるようになる。
下り坂は、本装置を解除することにより、従前通りの走行が確保され、走路の形状に関わりなく、安定した走行が出来る。
電気エネルギーや電子部品を使用しないので、維持経費が掛からず、使用に際して、制限がない。
【図面の簡単な説明】
【図１】本発明の装着状態を示す上視図である。
【符号の説明】
１　　車軸
２　　ゼンマイ状推進装置
３　　逆転防止装置
４　　入・出力切替え装置
５　　ゼンマイ巻き締め用装置
６　　保護ケース
７　　足乗せ。
８　　座イス
【図１】
2004024802.tif 000003
(57)【要約】【目的】原乳を容易に固形化して良好な風味と食味を有する乳固形物を安定して創出する。【構成】原乳を均質化処理し，これにニガリを添加後，熟成処理する。【選択図】　　図１
2004024191.tif 000002
【特許請求の範囲】
【請求項１】
乳にニガリを加えて固形化することを特徴とする固体乳製造法。
【請求項２】
前記特許請求の範囲第１項の乳に均質化処理して使用することを特徴とする固体乳製造法。
【請求項３】
前記特許請求の範囲第１項のニガリに塩化マグネシウムを使用することを特徴とする固体乳製造法。
【請求項４】
前記特許請求の範囲第１項の固形化に一定時間の低温処理を施すことを特徴とする固体乳製造法。
【請求項５】
前記特許請求の範囲第１項の固体乳を味噌若しくは調味料に漬け込む操作を付加することを特徴とする固体乳製造法。
【発明の詳細な説明】
【産業上の利用分野】
本発明は，食品加工に関し，固体乳製造法に関する。
【０００１】
【従来の技術】
乳を原料とする固形化法として古来よりバターやチーズの製造方式を通常としてきた。
【０００２】
【発明が解決しようとする課題】
乳を特有の方法により固形化したバターもしくはチーズは，特有の臭いと特有の食味があり，食品としての嗜好範囲に限界があるなどの問題点があった。
【０００３】
したがって，乳を固形化する方法として，食味と臭いを改善する工夫がなされてきたが，古来からの日本食には適合性が低かった。
【０００４】
ところが，豆腐製法のポイントとしてニガリを使用することがあったが，植物性食品の加工を乳製品に使用することは従来考えられることもなく，古来よりの製法上の枠内での改善と工夫にとどまっていた。
【０００５】
これは乳製品が欧米文化の中で発達してきた生活文化の所産であるのに対し，日本で発達した豆腐製法との融合がなく，製造方式についての研究も全く異なる分野で発達してきたことによる。
【０００６】
【課題を解決するための手段】
乳を固形化する方式にニガリを用いる方式は，発酵や微生物を用いないために臭いにクセが無く，しかも食味が穏やかに仕上がることを発見した。ニガリには硫酸カルシウムや塩化マグネシウムが知られているが，それぞれの添加効果は食味に影響を及ぼす。また，原料乳の均質化処理の影響も大きいばかりでなく，固形化後の低温処理時間を設けることによる熟成操作が食味と風味に与える影響も大きい。この固形化操作を検討することによって汎用性の高い固体乳製造食品を実現することが可能となる。
【０００７】
本発明で考案された新法は，所定の乳を固形化する際に所定のニガリを加え，低温処理を施して熟成することにより容易に実現でき，従来にはまったく見いだせなかった新しい方式であり，従来の食品製造方式を抜本的に改めたところに特徴がある。
【０００８】
本発明で考案された方法に基づいて実験装置が試作され，乳の固形化処理を実験研究して，その卓越した効果が証明された。
【０００９】
【作用】
ニガリを使用して乳を固形化することにより，新しい風味と食味を有する固体乳を創出することを特徴とする。
【００１０】
【実施例１】
原乳を十分攪拌して，濾過して，検査後の未均質化処理の乳と均質化処理した乳の２種類について，ニガリを加えて凝固，圧縮の後，熟成を経て出来上がった固体乳を食味検査した。その結果，未均質化処理の乳から作られたものは，原乳の臭いが強く，均質化処理された乳を原料にした場合が食味品質上優れていることが見出された。
【００１１】
【実施例２】
原乳を十分攪拌して，濾過して，検査後の均質化処理を施したものに，硫酸カルシウム，塩化マグネシウム，グルコノゲルタラクトンの３種類をニガリとして使用して，その効果を比較検討した。添加量は原料乳５０リットルに対し，それぞれ５０ｇ，１００ｇ，１４４ｇ，２００ｇとして検討したところ，凝固速度が良好で，食味が優れているのは塩化マグネシウム１４４ｇの場合であることが実証された。また，硫酸カルシウムを使用した場合，粉状食感となって食味が悪く，グルコノゲルタラクトンはゴム状食感でかつ滑らかさに欠ける食感となって食味が悪いことが明らかになった。
【００１２】
【実施例３】
ニガリの代わりに食酢を使用し，香味塩とともに添加した場合，塩化マグネシウムと食塩を使用した場合と比較すると，食味検査の結果，食酢は製品の酸味が強く，スモーク臭があって，食味評価が低いことが分かった。この結果，塩化マグネシウムを食塩とともに使用して乳を固形化することが良好な風味を得ること並びに，その後，一定期間にわたり味噌若しくは味醂などの調味料に漬け込むことにより，微妙に味を変えることが出来ることが明らかとなった。
【００１３】
【実施例４】
凝固，圧縮後に低温処理を施す効果について，５℃下に３時間，６時間，１２時間静置して，熟成効果を検討した。その結果，３時間や６時間区では未熟で食味は水っぽく，評価は低く，１２時間処理が良好な食味評価となり，良好な熟成条件であると結論された。
【００１４】
【発明の効果】
以上の説明から明らかなように，乳の固形化処理に施す新方式において，本発明は以下に記載された効果を奏する。
【００１５】
原料乳を容易に固形化し良好な風味と食味の固体乳を安定して創出できる。
【００１６】
本方式による創出された固体乳は所定の処理を経て保存することにより，品質が容易に維持することが出来る。
【００１７】
本発明による装置は小型のものから大型のものまで容易に実現することができ産業的合理化に極めて貢献度が高い。
【００１８】
【図面の簡単な説明】
【図１】図１は本発明を実施する装置の構成配置例を示した図である。
【符号の説明】
Ａ　　クラリファイヤー
Ｂ　　エージングタンク
Ｃ　　予備加熱プレート
Ｄ　　ホモジナイザー
Ｅ　　蒸気回転釜
Ｆ　　型箱
Ｇ　　真空包装機
Ｈ　　ボイル槽
【図１】
2004024191.tif 000003
(57)【要約】【課題】桑の実の持つ味覚的、食感的、視覚的な特性を活かした利用範囲の広い桑の実の乾燥食品、粉末食品、ペーストとその製造方法及びジュースの残渣を利用したジャムとその製造方法を提供する。【解決手段】水分量を３〜６５重量％に調製した桑の実乾燥食品及び水分量が３〜８重量％の乾燥食品を粉末に調製した桑の実粉末食品を得る。また、水分量が６０重量％の乾燥品及び生の桑の実を磨砕してペーストに調製する。そして、桑の実ジュースの残渣を磨砕してジャムに調製する。【選択図】なし【特許請求の範囲】
【請求項１】
桑の実の水分量を３〜６５重量％に調製した桑の実乾燥食品。
【請求項２】
請求項１の内、水分量が３〜８重量％の乾燥食品を粉末に調製した桑の実粉末食品。
【請求項３】
桑の実ペースト及びその製造方法。
【請求項４】
桑の実ジュースの残渣による桑の実ジャム及びその製造方法。
【発明の詳細な説明】
【０００１】
【発明が属する技術分野】
本発明は、桑の実の水分量を調整することにより得られる桑の実の乾燥食品、粉末食品、桑の実ペーストと桑の実ジャム及びその製造方法の提供に関する。
【０００２】
【従来の技術】
桑の実は古くから食用あるいは薬用として利用されている。近年、桑の実の有用性が再認識される中でジュース、ジャムとしての加工食品が出されている。また、桑の実の有効成分を利用するものとして、その抽出した有効成分を食品に添加または薬剤として利用する技術（特許公開平１１−２５５６６２号、特許公開２００１−１７８４０８号）の提案がある。
【０００３】
【発明が解決しようとする課題】
しかしながら、桑の実の食品への利用はジュース、ジャム等の加工に留まり、未だ利用範囲が狭小であること及びジュースの残渣が有効利用されていないとする点。そしてまた、桑の実成分の抽出利用では食品に機能性の付加が期待できるものの、素材の特性が充分に活かされないとする点に不利がある。
【０００４】
そこで、桑の実の持つ味覚的、食感的、視覚的な特性を活かした利用範囲の広い桑の実の乾燥食品、粉末食品、ペーストとその製造方法及びジュースの残渣を利用したジャムとその製造方法を提供することを目的とする。
【０００５】
【課題を解決するための手段】
本発明は、桑の実の水分量を３〜６５重量％に調製した桑の実乾燥食品、水分量が３〜８重量％の乾燥食品を粉末に調製した桑の実粉末食品。また、桑の実ペーストとその製造方法。そして、桑の実ジュースの残渣を利用したジャムとその製造方法を提供することで上記の課題を解決する。
【０００６】
【発明の実施の形態】
以下に、本発明の実施の形態に係る桑の実の乾燥食品、粉末食品、ペースト及びジャム並びにその製造方法について説明する。
【０００７】
乾燥方法には、天日乾燥、冷風乾燥、温風乾燥、熱風乾燥、噴霧乾燥、真空凍結乾燥及び電磁波乾燥等がある。これらの乾燥方法は桑の実の乾燥に何れも有効であるが、乾燥時間とランニングコストの面から温風乾燥、熱風乾燥が望ましい。桑の実は小粒であり皮も薄いことから、熱風乾燥の一方法で水分量が３〜６５重量％の乾燥範囲の乾燥品は得られるが、紫色素を活用するにおいては温風乾燥が有効であることから両乾燥方法を採用することとした。
【０００８】
桑の実の熱風乾燥は初温８５℃終温７０℃の条件で、水分量が３〜８重量％の乾燥品を得るには１０時間〜１３時間の乾燥を行い、水分量が１４〜２５重量％の乾燥品を得るには４時間〜８時間の乾燥を行う。また温風乾燥において、桑の実の水分量が３３〜６５重量％の乾燥品を得るには、５０℃の温風で４時間〜１０時間の乾燥を行う。
【０００９】
桑の実粉末は水分量が３〜８重量％の乾燥品を磨砕（砕いて磨り潰す）し、篩で粒度を整えて粉末食品とする。
【００１０】
桑の実ペーストは水分量が３３〜６５重量％の乾燥品を磨砕してペーストを得る。また、生の桑の実を磨砕してジュースとし、これを加熱によって水分量を調整してペーストを得る。
【００１１】
桑の実ジャムは、桑の実ジュースの残渣に少量の水を加えて攪拌して磨砕する。これにペクチン、クエン酸及び糖類を加えて煮塾してジャムに調製する。
【００１２】
【実施例１】
以下に、実施例について説明する。
桑の実１００ｇを水洗いして水切りをした後、乾燥棚に広げて乗せる。乾燥の初期の温度を８５℃に設定し終期の温度を７０℃に設定して１３時間熱風乾燥した。これによって水分量が３．６重量％で糖度がＢｘ２３°の桑の実乾燥品が得られた。褐変は見られたが、食感はサクサク感で歯ごたえが良く、程よい甘味のある食品となった。この乾燥品は、このまま若しくは糖を加味してスナック菓子とすることができる。また、焼き菓子の中に混入して異なる食感を楽しむ菓子とすることができる。
【００１３】
【実施例２】
実施例１と同様の前処理及び乾燥条件で６時間の乾燥を行った。これにより水分量が２３重量％の乾燥品を得た。若干紫色は脱色しているが、ウエットな食感と甘味のある食品となった。この乾燥品は、サラダ、グラタン等への混ぜ合わせや洋食及び和食の飾りとして利用することができる。また、ケーキ、クッキー等の洋菓子、和菓子の焼き菓子に混入して利用することができる。
【００１４】
【実施例３】
実施例１と同様の前処理を行った後、５０℃の温風で８時間の温風乾燥を行った。これにより桑の実の水分量が３５重量％の乾燥品が得られた。この乾燥品は鮮やかな紫の色彩でジューシーさと甘味を含んだ食品となった。これをさらにシロップに浸漬して甘味を調整することによって、ゼリーの中に浮かせる等の利用ができる。
【００１５】
【実施例４】
実施例１で得られた桑の実乾燥品を磨砕して粉末を得た。この粉末を１０メッシュ（Ｔｙｌｅｒ標準篩）で一次篩いを行った後、透過した粉末を２０メッシュで二次篩いを行って３種類の粉末を得た。２０メッシュを透過しなかった粉末は再度磨砕して粒度を調整した。この結果、粒度が１０メッシュまでの粗粉末と２０メッシュ以下の細粉末の２種類を得た。粒度の粗い粉末はケーキ等の上にふりかけて飾りとし、粒度の細かい粉末は生地に直接練り込み味覚を楽しむものとして利用することができる。
【００１６】
【実施例５】
桑の実の水分量が６０重量％の乾燥品を磨砕してペーストを得えた。また、生の桑の実を磨砕してジュースとし、これを加熱により水分量を６０重量％に調製してペーストを得た。
【００１７】
【実施例６】
桑の実のジュース残渣１００ｇに２０重量％の水を加えて攪拌した。桑の実の残渣は殆どが茎、皮、種子であるため、これらをよく磨砕して滑らかにした。この後、０．１重量％のペクチンと０．５重量％のクエン酸及びオリゴ糖を適量加え煮塾してジャムに調製した。
【００１８】
【発明の効果】
本発明は、以上の構成よりなる桑の実の食品とその製造方法であり、これによれば桑の実の持つ味覚的、食感的、視覚的な特性を活かした利用範囲の広い桑の実の乾燥食品、粉末食品、ペースト及び桑の実ジュースの残渣を利用したジャムを調製することができる。
(57)【要約】【課題】本発明は、ティッシュペーパー等の紙を無駄に使用すること無く、又ペットの糞に手を触れ直接取り上げる必要が無く、何処の家庭にもある汎用樹脂製袋を活用しながらペットの糞を衛生的に収容することが可能な、ペットの糞処理用具に関するものである。【解決手段】外枠１に汎用樹脂製袋を被せた後、取手３を設けた内枠２にてその袋を固定する様に装着する。外枠１と内枠２はお互いに樹脂製袋を挟みながら、ペットの散歩中の持ち運び位ではすぐには外れないような形状と成っている。本処理用具にてペットの糞を地面に落ちる前に受け、収容する。【選択図】　　図１
2004024010.tif 000002
【特許請求の範囲】
【請求項１】
外枠１に汎用樹脂製袋を被せた後、取手３を設けた内枠２にてその袋を固定する様に装着する。外枠１と内枠２はお互いに汎用樹脂製袋を挟みながら、すぐには外れないような形状とする。以上の如く構成されたペットの糞処理用具。
【発明の詳細な説明】
【０００１】
【発明の属する技術分野】
本発明は、ティッシュペーパー等の紙を無駄に使用すること無く、又ペットの糞に手を触れ直接取り上げること無く衛生的に収容可能な、ペットの糞処理用具に関するものである。
【０００２】
【従来の技術】
従来のペットの糞処理方法は
１　ペットの糞が地上に排泄された後ティッシュペーパー等の紙を介して地面上の糞を直接手でつかみ上げる。
２　スコップ等の器具によりすくいとる。
３　ペットの糞が地面に落ちる前に収容可能な器具も有るにはあるが、その場合は専用の特殊な処理袋が必要であった。
【０００３】
【発明が解決しようとする課題】
これらの処理方法には次のような不満、要望が有った。
１　不衛生なのでペットの糞に直接手で触りたくない。
２　スコップ等の器具が糞で汚れるのを避けたい。
３　地面上に落ちたペットの糞をつかむ場合、通常ティッシュペーパー等の紙を使用しているが、資源の無駄遣いなので紙を使いたくない。
４　専用の処理袋を用意すること無く何処の家庭にも有る汎用樹脂製袋を利用して、ペットの糞が地面に落ちる前に衛生的に収容したい。
本発明は、こうしたペット愛好家の強い要望にこたえるために発明されたのである。
【０００４】
【課題を解決するための手段】
その構成を説明すると、外枠１に汎用樹脂製袋４を被せた後、取手３を設けた内枠２にてその袋を固定する様に装着する。外枠１と内枠２はお互いに汎用樹脂製袋４を挟みながら、ペットの散歩中の持ち運び位ではすぐには外れないような形状とする。以上の如く装置する。
【０００５】
【発明の実施の形態】
イ、リング状の外枠１に汎用樹脂製袋４を被せる。外枠１は逆Ｕ字断面形状にて構成される。
ロ、外枠１の逆Ｕ字断面の内側に添う形状を持つリング状の内枠２を、汎用樹脂製袋４を固定するように外枠１の内側に装着する。
ハ、内枠２には取手３が設けられている。
本発明は以上の構成となっている。
実際に使用する時は取手を持ち、ペットが糞をする時点でペットのお尻の下に本処理具を持って行き、糞が地面に落下する前にこの内外枠により固定された汎用樹脂製袋にて受ける。排泄が終了したら外枠１から内枠２を取り外し、固定されていた汎用樹脂製袋を外枠１から外した後、袋の口をひと結び等で閉じれば簡単に糞を収容できる。
【０００６】
【発明の効果】
本発明を使用すれば、ティッシュペーパー等の紙を無駄に使用すること無く、又ペットの糞に手を触れ直接取り上げる必要が無く、何処の家庭にもある汎用樹脂製袋を活用しながらペットの糞を衛生的に収容することが出来る。
【図面の簡単な説明】
【図１】本発明の組立断面図
【図２】本発明の分解断面図
【図３】本発明の組立斜視図
【図４】本発明の使用状態斜視図
【符号の説明】
１　外枠
２　内枠
３　取手
４　樹脂製袋
【図１】
2004024010.tif 000003
【図２】
2004024010.tif 000004
【図３】
2004024010.tif 000005
【図４】
2004024010.tif 000006
(57)【要約】【課題】各家庭で穀類入りの米飯を食べるときに、炊飯の準備にかかる手間を減らすことである。【解決手段】穀類入り米飯の材料として、無洗米１にその他の十数種類の穀類２を所定の割合で配合してプラスチックの袋３で真空包装し、開封後にそのまま炊けるようにした穀類配合米を提供することにより、各家庭で炊飯の準備をするときに、従来手間がかかっていた米を洗う作業と、米に穀類を配合する作業を省略できるようにしたのである。【選択図】　図１
2004024014.tif 000002
【特許請求の範囲】
【請求項１】
無洗米にその他の１種類以上の穀類を所定の割合で配合して包装した穀類配合米。
【発明の詳細な説明】
【０００１】
【発明の属する技術分野】
この発明は、包装された状態で運搬、販売される食用の米のうち、他の穀類が配合されたものに関する。
【０００２】
【従来の技術】
近年、健康に対する関心が高まるにつれて、米にビタミン類等の栄養分を多く含む穀類を混ぜ合わせて炊いた米飯が、栄養バランスのとれた健康食として注目されつつある。この穀類入りの米飯を各家庭で食べるときには、通常、図２に示すように、普段使用している白米を洗ってその表面に残存する糠層を洗い流した後、洗った白米に別途用意した穀類を配合して炊飯器で炊いており、炊飯の準備が面倒に感じられることが多い。また、穀類の配合の割合によっては、炊いたときの食味等に不満が残る場合がある。
【０００３】
これに対して、材料の米を無洗米に代えれば、米を洗う手間は省ける。しかし、無洗米は一般家庭ではまだ使用することが少ないため、普段使用する白米とは別に買い求める等して用意しておくことが必要となるし、米に穀類を配合する手間は同じである。
【０００４】
【発明が解決しようとする課題】
そこで、この発明の課題は、各家庭で穀類入りの米飯を食べるときに、炊飯の準備にかかる手間を減らすことである。
【０００５】
【課題を解決するための手段】
上記の課題を解決するため、この発明においては、無洗米にその他の１種類以上の穀類を所定の割合で配合して包装した穀類配合米を、開封してそのまま炊くようにしたのである。
【０００６】
すなわち、材料の米として無洗米を使用し、これに予め他の穀類を所定の割合で配合して包装しておくことにより、各家庭で炊飯の前に米を洗ったり、米に穀類を配合する手間が省けるようにしたのである。
【０００７】
【発明の実施の形態】
以下、図面に基づき、この発明の実施形態を説明する。この穀類配合米は、図１（ａ）、（ｂ）に示すように、無洗米１に十数種類の穀類２を所定の割合で配合し、これを透明なプラスチックの袋３に入れて真空包装したものである。
【０００８】
前記無洗米１は、炊いたときに食味を損なう原因となる糠層を、精米の際にブラシ等で削り落としたり水洗いにより洗い流したりして除去したもので、家庭で洗う必要がなく味もよい。また、家庭での洗米による栄養分の流出がないため、洗った米に比べると栄養価も高い。
【０００９】
前記無洗米１に配合されている穀類２は、もちあわ、もちきび、ひえ、玄米、黒豆、小豆、はと麦等、それぞれビタミン類等の栄養分を多く含んでいるものが使用されており、そのうちには、食味や食感をよくするものや、米を美しく染めるものも含まれている。また、これらの各穀類２の配合割合は、炊いたときの味がよく、かつ栄養面やコスト面でも満足できるように、米食味鑑定士によって決められている。
【００１０】
前記無洗米１と穀類２を入れる袋３は、柔軟なプラスチック製で真空包装に適している。また、袋３が透明なので、穀類２がおおよそどの程度袋３に入っているかが外から見てわかる。さらに、袋３の大きさを、例えば２合入りや３合入り等、一般家庭の一食分の量が入る程度の大きさとすれば、各家庭で開封後に計量する手間も省ける。
【００１１】
この穀類配合米は、上述したような構成であり、開封してそのまま炊くことができる。すなわち、炊く準備をするときに、米を洗ったり、米に穀類を配合したりする手間がかからず、無洗米と穀類とを別々に用意する必要もない。また、穀類が予め最適な割合で配合されているので、誰が炊いてもおいしく炊くことができる。
【００１２】
上述した実施形態では、無洗米に十数種類の穀類を配合したが、配合する穀類の種類は１つ以上であればいくつでもよい。
【００１３】
また、包装方法は、中身の劣化防止のために真空包装としたが、無洗米と配合された穀類を入れた状態で運搬、販売等の取り扱いができれば、どのような包装でもよい。
【００１４】
【発明の効果】
以上のように、この発明の穀類配合米は、無洗米にその他の１種類以上の穀類を所定の割合で配合して包装したものであるから、各家庭で開封してそのまま炊くことができ、炊飯の準備に手間がかからない。また、穀類が予め適切な割合で配合されているので、一定の水準以上の食味が安定して得られる。
【図面の簡単な説明】
【図１】ａは実施形態の穀類配合米の外観斜視図、ｂはａの縦断面図
【図２】穀類入り米飯を炊くときの従来の手順を示すフローチャート
【符号の説明】
１　無洗米
２　穀類
３　袋
【図１】
2004024014.tif 000003
【図２】
2004024014.tif 000004
(57)【要約】【課題】本発明は釣竿内部に糸巻き機を内蔵することによる便利性、経済性、時間の節約、魚釣りの楽しさを追求できる。【解決手段】本発明は釣竿本体内後部に円柱体で対面が溝状の糸巻き機を設け、前部に１ａ遮断壁を設置、後部３尻栓で固定することにより、溝で巻かれた糸は何時でも４穂先トップを通過した状態で収納しておける。釣竿として使用しない段階でも、既にスタンバイされていて大変に便利。【選択図】　図２
2004024228.tif 000002
【特許請求の範囲】
【請求項１】
釣竿本体に釣糸巻き機を内蔵する構造を設け、竿先に釣糸を固定しない伸縮が自在で釣糸の長さを目的に設定できるところを特徴とする中通し糸巻き機内蔵くりだし釣竿。
【発明の詳細な説明】
【０００１】
【発明の属する技術分野】
本発明は、釣竿の内部に釣糸を糸巻き機に巻いて収納できる構造を設けた、釣具に関するものである。
【０００２】
【従来の技術】
釣竿の竿先に釣糸を使用する度に結合するものと、糸巻き機としてのリール、角（つの）を釣竿の外部に接合して釣糸を収納している。この方法で釣竿の中間から釣糸を釣竿の内部に通して竿先に貫通させている。
【０００３】
【発明が解決しようとする課題】
釣竿の先端部分に釣糸を結合していると、魚の動きに先端だけが振られて結合部分だけに特別な負担が掛って特別に竿先を痛める。糸巻き機を内蔵することにより竿尻から竿先まで釣糸が貫通することにより釣竿にかかる負担が釣竿全体に分散される為に竿先の痛みも、振れも解消される。釣の最中に釣糸が傷ついた場合、傷ついた場所をカットすれば内蔵してある糸巻き機の糸を引き出せる。竿先から釣糸を交換することもなく、釣糸のロスもなく時間も節約できる。
【０００４】
釣り場の移動の時に、足場がよくないときに、釣竿をたたまないで、好みの長さに釣竿を収納しても糸と竿を引っ張れば簡単に使用できる。
【０００５】
暗いときに釣竿をセットするのに苦労しますが、釣糸を糸巻き機から竿先の外部に出して納竿しておけば、簡単に釣竿をセットできます。
【０００６】
釣竿に突起部分があるとスマートではなく移動、収納に神経をつかうが、糸巻き機が収納されているので、余分な突起物がなくぶつかる心配がない。
【０００７】
【課題を解決するための手段】
本発明は、釣竿後部の竿尻内部に釣糸を収納する円柱形で、円の対面が凹状な糸巻き機を設けた。糸巻きは凹状の溝に釣糸を巻き込むことにより十分に収納することができる。納竿時には、糸巻き機が内部の竿のクッションになる。
【０００８】
釣竿の内部に糸巻き機を内蔵することにより問題点を解決している。
【０００９】
【発明の実施の形態】
釣竿の竿尻ネジキャップを外すと円柱体の糸巻き機が取り出せる。糸巻き機の溝に釣糸を結わいてから溝に沿って釣糸を巻き込む。十分に釣糸が巻けたら、釣糸の先端部分を糸通しにからめて、中心部の穂先先端トップを貫通させる。
【００１０】
糸を通すことができたら、糸が戻らないようにヨリモドシで固定する。
【００１１】
つぎに、糸巻きを釣竿本体に納めて尻栓をする。
【００１２】
使用時には尻栓を外して糸巻きを取り出し、竿を伸ばすことによって糸巻き機から釣糸が竿の中に送り込まれ、トップ外の釣り糸を引くことによって調整をする。長さの調整ができたら、糸巻き機を納めて竿尻を閉じる。
【００１３】
【実施例】
以下、添付図面従って一実施例を説明する。１はグラスロッド、カーボンロット、竹等適宜素材にて形成された釣竿手元本体。２は内蔵された釣竿が飛び出さないための口栓キャップ。３は糸巻き機を出し入れする開閉口でネジ状締め付け、閉じることで糸巻き機及び中竿を固定をする。４は穂先トップで釣糸を円滑に外部へ送り出すことと竿先を痛めない目的の器具。５は穂先で先端の竿。６は中竿。７は中竿。８は中竿。９は中竿。１０、中竿。
【００１４】
１ａは糸巻き機が前方へ移動させない為の遮断壁と同時に中竿１０との空間を狭める壁で内蔵されている中竿のぐらつきを防ぐ。１１は糸巻き機として釣竿後部に定着する。１１ａの糸巻き機の溝は釣糸を巻き込んで収納する。糸巻き機から４の穂先トップを通過して２のキャップ外に出た釣糸はその場所で固定できる。
【００１５】
本発明の一実施例は上記の如き構成からなるものであるから、釣竿本体に釣糸を収納すると過去に経験がない魚釣りが体験できる。また、穂先を交換するだけで従来の竿先に糸を固定する釣竿にも変化する。
【００１６】
【発明の効果】
上述の様に、本発明の中通し糸巻き機内蔵くりだし釣竿は糸巻き機を釣竿本体に内蔵することにより、釣糸を持ち歩くことがなく、釣場以外で釣糸をセットでき、傷ついた糸は元から交換しないで経済的にも有利です。釣糸が竿中を貫通しているから、竿先だけに負担が掛からない理想な魚釣りができる。
【図面の簡単な説明】
【図１】本発明の中通し糸巻き機内蔵くりだし釣竿の正面図である。
【図２】本釣竿の断面図である。
【符号の説明】
１　　釣竿手元本体
２　　キャップ
３　　尻栓
４　　穂先トップ
５　　穂先
６　　中竿
７　　中竿
８　　中竿
９　　中竿
１０　中竿
１１　糸巻き機
【図１】
2004024228.tif 000003
【図２】
2004024228.tif 000004
(57)【要約】【目的】脱着が安全かつスムーズに行える、釣り用ルアーのフックカバーを提供する。【構成】中空中割式の本体１の内部に、ルアー４のフック５を挟み込んで閉じるだけで、ロック凹２ａとロック凸２ｂが噛み合い装着が完了するようにし、とり外す場合もロック凹２ａを指で押し上げれば、ロック凹２ａとロック凸２ｂが外れるようにする。ルアー４のフック５を本体１の内部に挟み込んで閉じる際に、同時に本体１の側面にあるラバー部分３が、ルアー４とフック５の連結部分６を挟み込んで固定するようにする。【選択図】　　図１
2004024222.tif 000002
【特許請求の範囲】
【請求項１】
中空中割式で、ルアーのフックを内部に挟み込んでロックするフックカバー。
【発明の詳細な説明】
【０００１】
従来は、イカリ形のルアーのフックを、同じ様な形状のフックカバーに差し込んだり、引き抜いたりしていたため、十分に注意を払わなければフックが手に刺さる危険性を常に孕んでいた。
【０００２】
本発明は、フックカバーを中空中割式にし、ルアー４のフック５を本体１の内部に挟み込んで閉じるだけで、ロック凹２ａとロック凸２ｂが噛み合い装着が完了するものであり、とり外す場合もロック凹２ａを指で押し上げれば、ロック凹２ａとロック凸２ｂが外れる仕組みになっている。また、ルアー４のフック５を本体１の内部に挟み込んで閉じる際に、同時に本体１の側面にあるラバー部分３が、ルアー４とフック５の連結部分６を挟み込んで固定するため、より安定した装着が可能になっている。
【０００３】
このようにすれば、従来のフックカバーよりも、脱着時の安全性が飛躍的に増すばかりでなく、よりスムーズに脱着することができる。
【図面の簡単な説明】
【図１】フックカバーの斜視図である。
【図２】フックカバーの側面図である。
【図３】フックカバーの実施例を示す側面図である。
【符号の説明】
１　　　　本体
２ａ　　　ロック凹
２ｂ　　　ロック凸
３　　　　ラバー部分
４　　　　ルアー
５　　　　フック
６　　　　連結部分
【図１】
2004024222.tif 000003
【図２】
2004024222.tif 000004
【図３】
2004024222.tif 000005
(57)【要約】【課題】一般に害虫類などを駆除するとき劇薬等の薬品を使用してるが、自然環境に良くないことと、人体に及ぼす影響も大きい、特に食用野菜の栽培時に発生する幼虫類の駆除に薬品の使用は避けなければならない。そこで直接駆除するしかない。【解決手段】あらゆる場面で、手を汚さず簡単に害虫類を直接つかむことで害虫を殺傷し、駆除することが出来る。無公害であり、特に食用野菜等についた幼虫の駆除には有効である。【選択図】　図１ID=005005 HE=055 WI=154 LX=0000 LY=0000>
2004024225.tif 000002
【特許請求の範囲】
【請求項１】
害虫をつかむことで殺傷し、駆除する。
【発明の詳細な説明】
本発明は取り扱いが非常に簡単であり、物体についた害虫を直接針状のものでつかむことで、害虫を刺し殺し、そして離すと脱落することにより、手を汚さず、簡単に駆除できるものである。
【図面の簡単な説明】
【図１】害虫駆除器の構造断面図である。
【図２】害虫駆除器の斜視図である。
【図３】害虫駆除器の正面図
【符号の説明】
１　板式リターンスプリング。
２　コイル式リターンスプリング。
【図１】
2004024225.tif 000003
【図２】
2004024225.tif 000004
【図３】
2004024225.tif 000005
(57)【要約】【目的】廃棄ガラスから作られたガラス発泡体材料を用いることで、循環型社会の実現を目指し、併せて、世の人々の美的創造意欲、学習意欲を満足させ‘うるいお’の創設に貢献することを目的とする。【構成】▲１▼園芸用資材▲２▼画材▲３▼玩具▲４▼インテリア、エクステリア用装飾資材▲５▼観賞用水槽中の装飾資材【特許請求の範囲】
【請求項１】
▲１▼園芸用資材として、２ｍｍ〜８ｍｍのガラス発泡体材料に着色する技術
【請求項２】
▲２▼画材として、２ｍｍ〜１５ｍｍのガラス発泡体材料に着色する技術
【請求項３】
▲３▼玩具として、３０ｍｍ〜１００ｍｍのガラス発泡体材料に着色する技術
【請求項４】
▲４▼インテリア、エクステリア用装飾資材として、２ｍｍ〜１００ｍｍのガラス発泡体材料に着色する技術
【請求項５】
▲５▼観賞用水槽中の装飾資材として、２ｍｍ〜１００ｍｍのガラス発泡体材料に着色する技術
【発明の詳細な説明】
【０００１】
【発明の属する技術分野】
本発明は、ガラス廃棄物の有効利用を目指して発明したものである。
ガラス廃材から製造、販売されているガラス発泡体材料を再加工して、より人間生活の‘うるおい’に不可欠な製品を作り出そうとするものであり、
▲１▼園芸用資材については、（１）植物栄養剤を含ませる。（２）一次乾燥をする。（３）植物栄養剤を添加した溶液で薄められた塗料で着色する。その際、多気泡体の表面の穴を塞がない工夫、使われ出してからは、中の薬剤が表の水にじわじわと滲み出すような工夫がなされなければならない。（４）二次乾燥をする。（５）透明な植物栄養剤をふりかける。（６）最終乾燥をする。
▲２▼画材については、使用者の要望に基づいた大きさ、形、色を決定し（１）着色する。このとき、塗料について配合に工夫を凝らす。（２）乾燥する。このとき、だんご状にならない工夫として吸い取り紙を利用する。（３）二次乾燥、最終乾燥をして適宜包装をして出荷する。
▲３▼玩具については、▲１▼園芸用資材、▲２▼画材、▲４▼装飾用資材、▲５▼水槽内装飾用資材なども無害な塗料を使用してはいるが、特に幼児の口に入る恐れもあるので、使用する塗料については万全な注意を払い、有機物質は一切使用しない工夫をする。（１）着色。（２）一次乾燥。（３）二次乾燥。（４）最終乾燥を施し、適宜包装して出荷する。
▲４▼インテリア、エクステリア用装飾用資材については、▲２▼の画材に準じて製造する。
▲５▼観賞用水槽中の装飾資材については、ガラス発泡体の比重を０、７〜０、８に調整（通常は、０、２〜０、３）し、吸水すると比重が１となるような工夫を施して、水に沈むガラス発泡体にしてから着色する。その際、使用する着色剤は、飲料水に直接触れても水質基準を害しないものとする。
【０００２】
【従来の技術】
従来の技術にガラス発泡体材料に着色して、▲１▼園芸用資材、▲２▼画材、▲３▼玩具、▲４▼インテリア、エクステリア装飾用資材、▲５▼観賞用水槽中の装飾資材として使った例はない。
【０００３】
【発明の実施の形態】
本発明は、ガラス発泡体材料を利用した新たなカラフルな製品であり、使用していただく各位に美的な創造意欲をかき立てたり、遊びの中で、また、学習の中で、好奇心と併せて循環型社会を構築するための教育的要素をもつ素材である
よって、社会に‘うるおい’をもたらすものである。
【０００４】
【発明の効果】
第一に、循環型社会構築への貢献、第二に、世の人々の創造意欲、学習意欲等を満足させ、よって、社会の多様な欲求に答え‘うるおい’をもたらす効果がある。
(57)【要約】【課題】長時間凍結保存しても赤み及び鮮度を保持できるアセロラポウパの製造方法を提供する。【解決手段】本発明のアセロラポウパの製造方法は、熟したアセロラの果実と熟していないアセロラの果実を混合して粉砕し、梱包して凍結する。熟したアセロラの果実に熟していないアセロラの果実を混合して粉砕したものでアセロラポウパを製造すると、熟していないアセロラの果実が熟するにしたがって赤みを帯び、製造されたアセロラポウパは全体として赤みとともに鮮度を保持し、またその味にも変化がなく、出荷するまでの長時間の凍結保存が可能である。熟していないアセロラの果実を混合する量は、熟したアセロラの果実の熟しぐあいや量に応じて混合する。【特許請求の範囲】
【請求項１】
アセロラの果実を粉砕して凍結したアセロラポウパの製造方法において、熟したアセロラの果実と熟していないアセロラの果実を混合して粉砕し凍結することを特徴とするアセロラポウパの製造方法。
【請求項２】
前記熟していないアセロラの果実を１％以上混合したことを特徴とする請求項１のアセロラポウパの製造方法。
【請求項３】
前記熟していないアセロラの果実を１％〜３０％混合したことを特徴とする請求項２のアセロラポウパの製造方法。
【請求項４】
請求項１、２又は３のアセロラポウパの製造方法で製造されたアセロラポウパ。
【発明の詳細な説明】
【０００１】
【発明の属する技術分野】
本発明は、粉砕したアセロラの果実を凍結させたアセロラポウパの製造方法に関する。
【０００２】
【従来の技術】
アセロラはキントラノオ科の低木で、南米ブラジル国や日本国の沖縄県などで栽培されている。該アセロラの果実はビタミンＣを多量に含み、飲料の食材や化粧品等に広く利用されている。
アセロラの果実を食材として利用する場合、南米ブラジルではアセロラの熟した果実を粉砕して塩素消毒後プラスチック製の袋などに詰めて凍結したもの（アセロラポウパという）を食材とし、該アセロラポウパを解凍して水を加え、ジューサーに掛けてジュースにすると自然の味がそのまま残り、クプアス・ポウパ、マラクジャ・ポウパとともに好評を博している。
【０００３】
【発明が解決しようとする課題】
アセロラの果実は、木から採取する前でも熟するのが速く、また採取後は長時間放置すると熟し過ぎて腐敗が進み、果実の選別作業に手間取り、アセロラポウパの製造に時間がかかっている。
また、全体に濃い赤みを帯びて熟したアセロラの果実を採取してアセロラポウパを製造すると、冷凍保存しても日が経つにつれてアセロラポウパはさらに熟して赤みに特徴があるアセロラポウパが赤み及び鮮度を減らし、アセロラポウパの独特の美味（甘ずっぱさ）を失って、製品としての長時間の冷凍保存には不向きであった。
本発明は、前記問題点を解決したアセロラポウパの製造方法を提案するものである。
【０００４】
【課題を解決するための手段】
本発明のアセロラポウパの製造方法は、熟したアセロラの果実と熟していないアセロラの果実を混合して粉砕して凍結する。
【０００５】
【発明の実施の形態】
本発明のアセロラポウパの製造方法は、熟したアセロラの果実と熟していないアセロラの果実を混合して粉砕する。熟していないアセロラの果実を１％以上、好適には５〜３０％混合する。
アセロラの熟した果実は、全体が赤みを帯びて甘ずっぱく、一方、採取の際に熟していない果実は一部赤みを帯びているが、全体として青みがかっている。
青みがかったアセロラの果実を採取して放置すると赤みを帯びて熟してくるが、この赤みを帯びてきたアセロラの果実と採取した際全体が赤みを帯びて熟しているアセロラの果実の味とを比較したが、アセロラ果実の本来の味（甘ずっぱさ）に変わりがないことを知見した。
【０００６】
そこで、熟したアセロラの果実と熟していないアセロラの果実を混合して粉砕したものでアセロラポウパを製造すると、熟していないアセロラの果実が熟するにしたがって赤みを帯び、製造されたアセロラポウパは全体として赤みとともに鮮度を保持し、またその味にも変化がなく、出荷するまでの長時間の凍結保存が可能になった。
熟していないアセロラの果実を混合する量は、熟したアセロラの果実の熟しぐあいや量に応じて混合する。
【０００７】
【発明の効果】
本発明のアセロラポウパの製造方法によれば、長期間凍結保存しても赤み及び鮮度を保てるアセロラポウパを得ることができる。